(57)【要約】      （修正有）【課題】電気加熱器の構造を提供する。【解決手段】一対の絶縁熱伝導プレート２ａ、２ｂ、一つのＰＴＣ加熱モジュール１、一つの外ケース３及び一対の防水カバーで構成する電気加熱器の構造である。ＰＴＣ加熱モジュール１を二つの絶縁熱伝導プレート２ａ、２ｂの間に夾持する。外ケース３にＰＴＣ加熱モジュール１と、二つの絶縁熱伝導プレート２ａ、２ｂを収納し、且つ二つの開口端３７、３８を具有する。二つの防水カバーはそれぞれ外ケース３の二つの開口端３７、３８に対応してカバーする第一防水カバー５ａと第二防水カバー５ｂを含む。これにより、使用時に水の影響を受けて防水接着剤が取れるのを避ける目的に達し、防水効果を確保する。【選択図】図３
0003213748.tif 000002
【実用新案登録請求の範囲】
【請求項１】
一対の絶縁熱伝導プレート２ａ、２ｂ、一つのＰＴＣ加熱モジュール１、一つの外ケース３及び一対の防水カバー３７、３８を含み、
該一つのＰＴＣ加熱モジュール１を該一対の絶縁熱伝導プレートの間に夾持し、
該一つの外ケース３に該ＰＴＣ加熱モジュールと、該一対の絶縁熱伝導プレートを収納し、且つ二つの開口端３７、３８を具有し、及び、
一対の防水カバーはそれぞれ該外ケースの該二つの開口端３７、３８に対応してカバーする一つの第一防水カバー５ａと一つの第二防水カバー５ｂを含むことを特徴とする電気加熱装置の構造。
【請求項２】
前記該一対の防水カバーはいずれも一つのラバー密閉蓋或いは一つのシリコーン密閉蓋とすることを特徴とする請求項１記載の電気加熱装置の構造。
【請求項３】
更に一対の電気接続部品６を含み、該ＰＴＣ加熱モジュール１は一対の電極板１２と、該一対の電極板との間に夾持する少なくとも一つのＰＴＣ加熱ユニット１１を含み、該一対の電気接続部品６は該二つの開口端３７、３８のうち一つとそれぞれ該電極板１２と電気接続し、且つ該一対の電気接続部品６は該第一防水カバー５ａに挿入して結合することを特徴とする請求項１記載の電気加熱装置の構造。
【請求項４】
更に一対の熱拡散モジュール７を含み、該一対の熱拡散モジュールはそれぞれ該外ケース３に貼り付けることを特徴とする請求項１記載の電気加熱装置の構造。
【請求項５】
前記該外ケース３は一つの第一サイド治具３ａと一つの第二サイド治具３ｂを含み、該ＰＴＣ加熱モジュール１と該一対の絶縁熱伝導プレート２ａ、２ｂは、いずれも二つのサイド１０１、１０２と２１、２２を具有し、該第一サイド治具と該第二サイド治具はそれぞれ該二つのサイドに対応して夾持し、且つ該ＰＴＣ加熱モジュールと該一対の絶縁熱伝導プレートを密着することを特徴とする請求項１記載の電気加熱装置の構造。
【請求項６】
前記該第一サイド治具と該第二サイド治具はいずれも一つの上夾板３１、一つの下夾板３２と該上夾板と該下夾板の間を接続する一つの接続部３３を具有し、該一対の絶縁熱伝導プレートはそれぞれ一つの上夾持面２５と一つの下夾持面２６を具有し、該第一サイド治具３ａと該第二サイド治具３ｂの各該上夾板３１はそれぞれ該上夾持面２５を夾持し、該第一サイド治具と該第二サイド治具の各該下夾板３２はそれぞれ該下夾持面２６を夾持することを特徴とする請求項５記載の電気加熱装置の構造。
【請求項７】
前記該第一サイド治具の形状は横向きのＵ字型であり、該第二サイド治具の形状は第一サイド治具の形状と相対することを特徴とする請求項５記載の電気加熱装置の構造。
【請求項８】
前記該一対の防水カバー５ａ、５ｂはそれぞれ一つの凹部５２を具有し、該二つの凹部に該外ケース３の該二つの開口端３７、３８をそれぞれ収納して且つ束縛定位することを特徴とする請求項１或いは請求項５記載の電気加熱装置の構造。
【請求項９】
前記該第二防水カバー５ｂは更に凹部５２に対応して突出する一つの凸部５３を具有し、該凸部に該一対の絶縁熱伝導プレート２ａ、２ｂの一端を挿入し、該一対の絶縁熱伝導プレートの該端は該外ケースの内の一つの該開口端３８と共に、該凹部５２に対応して該第二防水カバーと該凸部に挿入することを特徴とする請求項８記載の電気加熱装置の構造。
【請求項１０】
前記二つの開口端と該ＰＴＣ加熱モジュールの両端の間に、それぞれ一つの酸素含有スペースＧを形成することを特徴とする請求項１記載の電気加熱装置の構造。
【請求項１１】
前記該外ケースの該二つの開口端３７、３８は、それぞれ各一つの該絶縁熱伝導プレート２ａ、２ｂの両端から突出することを特徴とする請求項１０記載の電気加熱装置の構造。
【考案の詳細な説明】
【技術分野】
【０００１】
本考案は一種の加熱装置の構造に関し、特にＰＴＣ加熱モジュールを使用する一種の電気加熱装置の構造に関する。
【背景技術】
【０００２】
ＰＴＣ加熱モジュールとは、正温度係数(Ｐｏｓｉｔｉｖｅ Ｔｅｍｐｅｒａｔｕｒｅ Ｃｏｅｆｆｉｃｉｅｎｔ；ＰＴＣ)加熱部品を使用する加熱モジュールを指す。  
【０００３】
電気加熱器を使用する環境の多くは、水と接触、或いは水の中に浸かる(例えば衣服乾燥機或いは乾燥機付き機能を具有する洗濯機に使用する)ため、防水機能を備える必要がある。
【０００４】
現有の電気加熱装置に含まれるのは一つの中空パイプ、中空パイプの中に収納する一つのＰＴＣ加熱モジュール及び中空パイプに設置する二つの熱拡散器であり、且つ中空パイプ内のＰＴＣ加熱モジュールに対して防水を行うために、中空パイプの両端に防水接着剤を充填する。
【０００５】
しかし、電気加熱装置が水と接触、或いは水の中に浸かるため、直接外に露出している防水接着剤が水の影響を受ける(例えばブラシをかけて洗うなど)ことで次第に取れ、最終的には隙間ができて水が滲み込むため、防水接着剤が防水効果を失い、それによりＰＴＣ加熱モジュールが水でショートすることは、以前から非難されてきたことであることを鑑みて、更なる改善が必要であった。
【先行技術文献】
【特許文献】
【０００６】
【特許文献１】特表2013-528482号公報
【考案の概要】
【考案が解決しようとする課題】
【０００７】
前記公知構造の欠点を解決するために、本考案は防水カバーでそれぞれ外ケースの二つの開口端を閉じることで、使用時に水の影響を受けて防水接着剤が取れるのを避けることができ、防水効果を確保する電気加熱装置の構造を提供することを主な課題とする。
【課題を解決するための手段】
【０００８】
前記課題を解決するために、本考案は電気加熱装置を提供する。それに含まれるのは一対の絶縁熱伝導プレート、一つのＰＴＣ加熱モジュール、一つの外ケース及び一対の防水カバーである。一つのＰＴＣ加熱モジュールを該一対の絶縁熱伝導プレートの間に夾持する。一つの外ケースに該ＰＴＣ加熱モジュールと、該一対の絶縁熱伝導プレートを収納し、且つ二つの開口端を具有する。及び一対の防水カバーはそれぞれ該外ケースの該二つの開口端に対応してカバーする第一防水カバーと第二防水カバーを含む。従来技術に比べ、本考案が具有する効果は：防水カバーで外ケースの二つの開口端を閉じて防水することができ、よって、使用時に水の影響を受けて防水接着剤が取れるのを避けることができ、防水効果を確保する。
【考案の効果】
【０００９】
本考案の構造により、防水カバーで外ケースの二つの開口端を閉じて防水することができ、よって、使用時に水の影響を受けて防水接着剤が取れるのを避けることができ、防水効果を確保する。
【図面の簡単な説明】
【００１０】
【図１】本考案の電気加熱装置の第一実施例の立体分解図である。
【図２】本考案の電気加熱装置の第一実施例の局部立体分解図である。
【図３】本考案の電気加熱装置の第一実施例を局部組立後の立体分解図である。
【図４】本考案の電気加熱装置の第一実施例の立体組立図である。
【図５】本考案の電気加熱装置の第一実施例の一つの断面図である。
【図６】本考案の電気加熱装置の第一実施例の別の断面図である。
【図７】本考案の電気加熱装置の第二実施例の局部断面略図である。
【考案を実施するための形態】
【００１１】
以下、本考案の詳細説明と技術内容を、図面を参照しながら下記に説明する。添付の図面は参考及び説明用であり、本考案を制限するものではない。
【実施例１】
【００１２】
本考案が提供する電気加熱装置について、図１から図６に示すのは本考案の第一実施例であり、図７に示すのは本考案の第二実施例である。
【００１３】
図１から図５に示すように、本考案の電気加熱装置の第一実施例に含まれるのは：一つのＰＴＣ加熱モジュール１、一対の絶縁熱伝導プレート、一つの外ケース３及び一対の防水カバーである。具体的には更に一対の電気接続部品６と一対の熱拡散モジュール７を含む。
【００１４】
一対の二つの絶縁熱伝導プレートに含まれるのは一つの第一絶縁熱伝導プレート２ａ及び一つの第二絶縁熱伝導プレート２ｂである。その中、第一絶縁熱伝導プレート２ａと第二絶縁熱伝導プレート２ｂはいずれも酸化アルミニウム、窒化アルミニウム、窒化ケイ素或いは炭化ケイ素の材料で作られる物体である。
【００１５】
ＰＴＣ加熱モジュール１を図２に示すように、サンドイッチのように第一絶縁熱伝導プレート２ａと第二絶縁熱伝導プレート２ｂの間に夾持する。その中、ＰＴＣ加熱モジュール１に含まれるのは、一対の電極板１２及び二つの電極板１２の間に夾持する少なくとも一つのＰＴＣ加熱ユニット１１である。図１及び図２に示すように、ＰＴＣ加熱ユニット１１の数量は、本考案では制限しない。本実施例において、多数のＰＴＣ加熱ユニット１１を例に説明を行う。且つこれらＰＴＣ加熱ユニット１１は互いに直線並列する。
【００１６】
外ケース３はシングルピースの中空パイプとすることができ(図に未掲載)、その内側には既に互いにサンドイッチ状に重ねるＰＴＣ加熱モジュール１、第一絶縁熱伝導プレート２ａと第二絶縁熱伝導プレート２ｂを収納する。且つ、図３に示すように、外ケース３は更に二つの開口端を具有し、一つの第一開口端３７と一つの第二開口端３８を含むことで、ＰＴＣ加熱モジュール１は第一開口端３７と第二開口端３８からのみ外に露出する。この他、外ケース３はアルミニウム或いはアルミニウム合金の材料で作られる物体とすることができる。
【００１７】
一対の二つの防水カバーに含まれるのは一つの第一防水カバー５ａと一つの第二防水カバー５ｂである。第一防水カバー５ａは第一開口端３７に対応して外ケース３の外をカバーし、第二防水カバー５ｂは第二開口端３８に対応して外ケース３の外をカバーし、それぞれ外ケース３の第一開口端３７と第二開口端３８を閉じることで、ＰＴＣ加熱モジュール１を外ケース３、第一防水カバー５ａと第二防水カバー５ｂの間に閉じて防水する。その中、第一防水カバー５ａと第二防水カバー５ｂはいずれもラバー密閉蓋或いはシリコーン密閉蓋など、ソフトタイプの蓋とすることができる。
【００１８】
一対の二つの電気接続部品６は第一開口端３７を経由してそれぞれ二つの電極板１２と電気接続し、且つ二つの電気接続部品６は第一防水カバー５ａに挿入して結合する。最良実施例として、二つの電気接続部品６の一端は一つの電気接続器６１を電気的構成することができ、電気コネクターにしやすく便利性を具有する。
【００１９】
一対の二つの熱拡散モジュール７はそれぞれ外ケース３の如何なる場所に貼り、具体的には図に示すように、それぞれ外ケース３の互いに相対する両面(例えば：頂面と底面)に貼る。その中、熱拡散モジュール７は図３に示すように、一対の固定板(符号を付けていない)及び二つの固定板の間に設置する一つのフィンセット(符号を付けていない)を含む。
【００２０】
図６及び図１から図３に示すように、外ケース３は前述のシングルピースの中空パイプ構造(図に未掲載)にすることができるほか、更に図に示すような、ツーピースの組合構造にすることができる。詳細は下記の通りである。
【００２１】
ツーピースの組合構造にできる外ケース３に含まれるのは一つの第一サイド治具３ａ及び一つの第二サイド治具３ｂである。最良実施例として、第一サイド治具３ａと第二サイド治具３ｂは互いに相対し、且つ全て一つの上夾板３１、一つの下夾板３２及び一つの接続部３３を具有する。当該接続部３３は上夾板３１の一辺と下夾板３２の一辺を接続することで、上夾板３１と下夾板３２と接続部３３で一つの挟み口３４を形成する。つまり、第一サイド治具３ａの形状は横向きのＵ字型であり、第二サイド治具３ｂの形状は第一サイド治具３ａの形状と相対する。前述ＰＴＣ加熱モジュール１は互いに相対する二つのサイドを具有し、図６に示すように、一つの第一サイド１０１と一つの第二サイド１０２を含む。また、前述第一絶縁熱伝導プレート２ａと第二絶縁熱伝導プレート２ｂはいずれも互いに相対する二つのサイドを具有し、図１、図２及び図６に示すように、一つの第一サイド２１と一つの第二サイド２２を含む。
【００２２】
よって、第一サイド治具３ａは二つの第一サイド１０１、２１に対応し、ＰＴＣ加熱モジュール１と第一、第二絶縁熱伝導プレート２ａ、２ｂの左半部を夾持及び圧迫する。第二サイド治具３ｂは二つの第二サイド１０２、２２に対応し、ＰＴＣ加熱モジュール１と第一、第二絶縁熱伝導プレート２ａ、２ｂの右半部を夾持及び圧迫することで、第一サイド治具３ａの上夾板３１と第二サイド治具３ｂの上夾板３１が互いに並列し、共に第一絶縁熱伝導プレート２ａの上夾持面２５を夾持し、且つ第一サイド治具３ａの下夾板３２と第二サイド治具３ｂの下夾板３２が互いに並列し、共に第二絶縁熱伝導プレート２ｂの下夾持面２６を夾持することができる。こうすることで、収納物(外ケース３の中に収納する物体を指す。且つこの物体はＰＴＣ加熱モジュール１と第一、第二絶縁熱伝導プレート２ａ、２ｂの組合体である)の左半部と右半部をそれぞれ第一サイド治具３ａと第二サイド治具３ｂの挟み口３４内に緊密に夾持するため、ＰＴＣ加熱モジュール１、第一絶縁熱伝導プレート２ａと第二絶縁熱伝導プレート２ｂの間の重ね具合がより緊密に重なり、熱伝導の効率が上がる。説明すべきなことは、この時、第一、第二サイド治具３ａ、３ｂの上夾板３１と下夾板３２は前述の二つの絶縁熱伝導プレートの上夾持面２５と下夾持面２６とそれぞれ緊密に重なるために、熱伝導しやすい。
【００２３】
この他、第一防水カバー５ａと第二防水カバー５ｂはそれぞれ一つの凹部５１、５２を具有し、且つ凹部５１は外ケース３の第一開口端３７を収納且つ束縛定位する。凹部５２は外ケース３の第二開口端３８を収納且つ束縛定位することで、第一、第二防水カバー５ａ、５ｂも束縛定位を兼ね備える効果を持ち、進んでは第一サイド治具３ａと第二サイド治具３ｂが互いに並列する状態に束縛し、第一サイド治具３ａと第二サイド治具３ｂが互いに離脱して変位するのを避ける。
【００２４】
図１、図３及び図５に示すように、第二防水カバー５ｂは更に凹部５２に対応して突出する一つの凸部５３を具有することができ、それにより凸部５３に第一絶縁熱伝導プレート２ａと第二絶縁熱伝導プレート２ｂの一端(図５に示す左端を指す)を挿入することができ、且つ第一絶縁熱伝導プレート２ａと第二絶縁熱伝導プレート２ｂの該端は外ケース３の第二開口端３８と共に、凹部５２と対応して一緒に第二防水カバー５ｂと凸部５３に挿入することができる。このようにすれば、第二防水カバー５ｂは外ケース３にしっかりと定位する効果を具有する。
【実施例２】
【００２５】
図７に示すように、本考案の電気加熱装置の第二実施例は、大まか前述の第一実施例と同じであり、差異は更に酸素含有スペースＧを増設することのみである。詳細の説明は下記の通りである。
【００２６】
第一防水カバー５ａ、第一開口端３７とＰＴＣ加熱モジュール１の一端との間に一つの酸素含有スペースＧを形成するために、且つ、第二防水カバー５ｂ、第二開口端３８とＰＴＣ加熱モジュール１の別端との間に別途一つの酸素含有スペースＧを形成するために、外ケース３を長くすることができ、それにより第一開口端３７が第一絶縁熱伝導プレート２ａと第二絶縁熱伝導プレート２ｂの一端から一つの突出する長さＤ（図７を参照）を突出し、そして、第二開口端３８が第一絶縁熱伝導プレート２ａと第二絶縁熱伝導プレート２ｂの別端から一つの突出する長さＤ(図７に未表示)を突出する。よってそれぞれもっと多くの空気を収納できる二つの酸素含有スペースＧを形成する。突出する長さＤは０.１ｍｍ−０.３ｍｍとすることができる。
【００２７】
増設する酸素含有スペースＧを介し、より多くの酸素でＰＴＣ加熱ユニット１１の特性をアップし、寿命を延ばすことができる。
【００２８】
上記をまとめると、本考案は従来技術と比べ、下記の効果を具有する：第一防水カバー５ａと第二防水カバー５ｂがそれぞれ外ケース３の第一開口端３７と第二開口端３８を閉じて防水することで、使用時に水の影響を受けて防水接着剤が取れるのを避けることができ、防水効果を確保する。
【００２９】
この他、本考案は更にその他の効果を具有する：外ケース３は第一サイド治具３ａと第二サイド治具３ｂを含むツーピースの組合構造を介することで、ＰＴＣ加熱モジュール１、第一絶縁熱伝導プレート２ａと第二絶縁熱伝導プレート２ｂとの間の重ね状態を緊迫にすることができる。且つ第一、第二サイド治具３ａ、３ｂの上夾板３１と下夾板３２もそれぞれ前述の二つの絶縁熱伝導プレートの上夾持面２５と下夾持面２６と緊密に重ねることで、熱伝導効率をアップする。酸素含有スペースＧを増設することを介し、より多くの酸素でＰＴＣ加熱ユニット１１の特性をアップし、寿命を延ばすことができる。
【００３０】
図面にて未表示のシングルピースに属する中空パイプ構造の外ケース３は、前述収納物を該外ケース３内に収納する必要がある。外ケース３に収納物を緊密に収納するためにも、収納物は外ケース３より適度に小さくする必要がある。よって、ツーピースの組合構造に属する外ケース３の熱伝導効率は、必然的にシングルピースに属する中空パイプ構造の外ケース３の熱伝導効率より優れる。
【００３１】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００３２】
１  ＰＴＣ加熱モジュール
１０１  第一サイド
１０２  第二サイド
１１  ＰＴＣ加熱ユニット
１２  電極板
２ａ  第一絶縁熱伝導プレート
２ｂ  第二絶縁熱伝導プレート
２１  第一サイド
２２  第二サイド
２５  上夾持面
２６  下夾持面
３  外ケース
３ａ  第一サイド治具
３ｂ  第二サイド治具
３１  上夾板
３２  下夾板
３３  接続部
３４  挟み口
３７  第一開口端
３８  第二開口端
５ａ  第一防水カバー
５ｂ  第二防水カバー
５１、５２  凹部
５３  凸部
６  電気接続部品
６１  電気接続器
７  熱拡散モジュール
Ｄ  突出する長さ
Ｇ  酸素含有スペース
【図１】
0003213748.tif 000003
【図２】
0003213748.tif 000004
【図３】
0003213748.tif 000005
【図４】
0003213748.tif 000006
【図５】
0003213748.tif 000007
【図６】
0003213748.tif 000008
【図７】
0003213748.tif 000009